(57)【要約】【課題】  従来はワープロ等の情報処理装置を想定したもので、録画機器を対象とされていない。また、従来の文字放送では、予め決められたものしか表示されない。  本発明は、録画機器において、所定のＷｅｂサイトにアクセスして得たニュースや天気予報等の文字列情報を映像情報に重ねて合成して該文字列を所定方向にスクロールして表示させることを目的とする。【解決手段】  本発明によれば、録画機器において所定のＷｅｂサイトにアクセスして得たニュースや天気予報等の文字列情報を映像情報に重ねて合成して該文字列を所定方向にスクロールして表示させることが可能となる。【選択図】  図１
2005192003.tif 000002
【特許請求の範囲】
【請求項１】
映像情報を記録可能な録画手段と、
外部の所定のサイトをアクセスするためのアドレス情報を記憶するアドレス情報記憶手段と、
該アドレス情報記憶手段に記憶したアドレス情報に基づいて、外部ネットワークを介してアクセスした該サイトから得た文字列情報を記憶する文字列記憶手段と、
前記映像情報出力と共に前記文字列記憶手段に記憶した文字列情報を合成して該文字列情報を所定方向にスクロールして出力する出力手段と
を具備することを特徴とした録画機器。
【請求項２】
前記文字列情報の出力有無を選択するための操作手段と、
前記アドレス情報記憶手段に記憶した複数のアドレス情報の中からひとつのアドレス情報を選択するための選択手段をさらに有したことを特徴とする請求項１記載の録画機器。
【請求項３】
前記文字列情報の出力位置を変更するための操作手段及び、出力する領域を変更するための操作手段とをさらに有したことを特徴とする請求項１乃至２いずれか記載の録画機器。
【請求項４】
映像情報を記録可能な録画手段と、
外部の所定のサイトをアクセスするためのアドレス情報を記憶するアドレス情報記憶手段と、
映像情報を取得するためのチューナと、
該チューナによる選択されたチャネル設定地域に基づくキーワードを抽出するための第１のキーワード抽出手段と、
前記アドレス情報記憶手段に記憶されたアドレス情報から特定のキーワードを抽出するための第２のキーワード抽出手段と、
これらキーワード抽出手段により抽出したキーワードとを比較してキーワードに対応するアドレス情報を前記アドレス情報記憶手段から検索し、該アドレス情報記憶手段に記憶したアドレス情報に基づいて、外部ネットワークを介してアクセスした該サイトから得た文字列情報を記憶する文字列記憶手段と、
前記映像情報出力と共に前記文字列記憶手段に記憶した文字列情報を合成して該文字列情報を所定方向にスクロールして出力する出力手段と
を具備することを特徴とした録画機器。
【請求項５】
映像情報を記録可能な録画手段を有した録画機器であって、
外部の所定のサイトをアクセスするためのアドレス情報に基づいて、外部ネットワークを介してアクセスした該サイトから得た文字列情報を記憶し、
前記映像情報出力と共に前記記憶した文字列情報を合成して該文字列情報を所定方向にスクロールして出力することを特徴とした録画機器における文字情報表示制御方法。
【請求項６】
前記文字列情報の出力有無の選択操作に応じて、前記文字情報の表示制御を行い、
また、前記複数のアドレス情報の中からひとつのアドレス情報を選択する操作に応じて前記文字情報の表示制御を行うことを特徴とする請求項５記載の録画機器における文字情報表示制御方法。
【請求項７】
前記文字列情報の出力位置を変更し、出力する領域を変更するための操作に応じて前記文字情報の表示制御を行うことを特徴とする請求項５乃至６いずれか記載の録画機器における文字情報表示制御方法。
【請求項８】
映像情報を記録可能な録画手段及び、映像情報を取得するためのチューナを有した録画機器であって、
該チューナによる選択されたチャネル設定地域に基づき抽出したキーワードと、アドレス情報から抽出した特定のキーワードを比較して、一致するキーワードに対応するアドレス情報に基づいて、外部ネットワークを介してアクセスした該サイトから得た文字列情報を記憶し、
前記映像情報出力と共に前記記憶した文字列情報を合成して該文字列情報を所定方向にスクロールして出力することを特徴とした録画機器における文字情報表示制御方法。
【発明の詳細な説明】
【技術分野】
【０００１】
本発明は、録画機器等にネットワーク上から得た文字情報を表示するための制御方法に関する。
【背景技術】
【０００２】
ＤＶＤ等の大容量記録媒体に映像等の情報を記録可能な録画機器においては、近年高機能化が進み、インターネットに接続して電子番組表を表示したり、この電子番組表を用いて録画予約等も行えるものがある。
【０００３】
一方、パーソナルコンピュータ等の情報処理装置においては、インターネットを介して、所定のＷｅｂサイトにアクセスして得た各種のネットワークコンテンツをブラウザを用いて利用することが可能である。この中にティッカーと言われる機能があり、ニュースや、天気予報等の文字列情報を情報処理装置の画面の一部にスクロールさせながら表示させることが可能である。これらは、ＲＳＳ（ＲＤＦ  Ｓｉｔｅ  Ｓｕｍｍｅｒｙ）というＸＭＬ（ｅＸｔｅｎｓｉｂｌｅ  Ｍａｒｋｕｐ  Ｌａｎｇｕａｇｅ）言語で記述されたフォーマットをベースにしている。この種の例として、ワープロなどの情報処理装置上にテロップ情報として文字列を表示する内容が示された特許文献１に挙げる方法がある。
【０００４】
更に、放送分野では文字放送サービスが存在し、ニュースや天気予報等の文字や画像からなる情報を放送データの空き部分を用いて配信し、これを受信機で受信し、ＴＶ画面にＯＳＤ（Ｏｎ  Ｓｃｒｅｅｎ  Ｄｉｓｐｌａｙ）機能を用いて表示する技術もある。
【特許文献１】特開平１０−１３３８４４号公報
【発明の開示】
【発明が解決しようとする課題】
【０００５】
しかしながら、特許文献１に記載された内容は、ワープロ等の情報処理装置を想定したもので、録画機器を対象とされていない。また、従来の文字放送では、予め決められたものしか表示されない。
【０００６】
本発明は、録画機器において、所定のＷｅｂサイトにアクセスして得たニュースや天気予報等の文字列情報を映像情報に重ねて合成して該文字列を所定方向にスクロールして表示させることを目的とする。
【課題を解決するための手段】
【０００７】
そこで本発明の録画機器は、映像情報を記録可能な録画手段と、外部の所定のサイトをアクセスするためのアドレス情報を記憶するアドレス情報記憶手段と、該アドレス情報記憶手段に記憶したアドレス情報に基づいて、外部ネットワークを介してアクセスした該サイトから得た文字列情報を記憶する文字列記憶手段と、前記映像情報出力と共に前記文字列記憶手段に記憶した文字列情報を合成して該文字列情報を所定方向にスクロールして出力する出力手段とを具備することを特徴とする。
【０００８】
更に、本発明の録画機器は、映像情報を記録可能な録画手段と、外部の所定のサイトをアクセスするためのアドレス情報を記憶するアドレス情報記憶手段と、映像情報を取得するためのチューナと、該チューナによる選択されたチャネル設定地域に基づくキーワードを抽出するための第１のキーワード抽出手段と、前記アドレス情報記憶手段に記憶されたアドレス情報から特定のキーワードを抽出するための第２のキーワード抽出手段と、これらキーワード抽出手段により抽出したキーワードとを比較してキーワードに対応するアドレス情報を前記アドレス情報記憶手段から検索し、該アドレス情報記憶手段に記憶したアドレス情報に基づいて、外部ネットワークを介してアクセスした該サイトから得た文字列情報を記憶する文字列記憶手段と、前記映像情報出力と共に前記文字列記憶手段に記憶した文字列情報を合成して該文字列情報を所定方向にスクロールして出力する出力手段とを具備することを特徴とする。
【０００９】
このような構成を取ることにより、録画機器において、Ｗｅｂサイトから取得した文字列を映像情報に重ねて合成して該文字列を所定方向にスクロールして表示させることが可能となる。
【発明の効果】
【００１０】
本発明によれば、録画機器において所定のＷｅｂサイトにアクセスして得たニュースや天気予報等の文字列情報を映像情報に重ねて合成して該文字列を所定方向にスクロールして表示させることが可能となる。
【発明を実施するための最良の形態】
【００１１】
以下、図面を参照して本発明の実施例を説明する。
【実施例１】
【００１２】
図１は、録画機器の内部構成を示す図である。
【００１３】
この録画機器１０は、内蔵ＴＶチューナ（地上波アナログＴＶ放送チューナなど）１０３からのＴＶ放送番組、あるいはラインＡＶ入力１０４からのアナログＡＶ情報（アナログビデオテープの再生信号、外部チューナ５０からのアナログＡＶ出力など）を、記録可能光ディスク（ＤＶＤ−ＲＡＭディスク、ＤＶＤ−Ｒディスクなど）１０２にデジタル記録し、また記録されたデジタルＡＶ情報をディスク１０２から再生するディスクドライブ部１０１を備えている。（なお、光ディスクの代わりに、あるいは光ディスクと併用して、図示しないハードディスクドライブを利用したデジタル録再も可能である。）
アナログＡＶ情報を受けるラインＡＶ入力１０４としては、コンポーネントＤ入力（ＮＴＳＣの色差入力を扱うＤ１、プログレッシブ色差入力を扱うＤ２、ハイビジョン色差入力を扱うＤ３〜Ｄ５など）、Ｓ端子、および／またはコンポジットＮＴＳＣビデオ信号を受ける同軸入力などが用いられる。
【００１４】
内蔵ＴＶチューナ１０３あるいはラインＡＶ入力１０４からのアナログＡＶ情報（ビデオ情報、オーディオ情報、およびその他のサブ情報が適宜含まれる）は、エンコーダ部１０５内でＡ／Ｄ変換されてのちＭＰＥＧエンコードされ、フォーマッタ１０５Ａで所定の記録信号にフォーマッティングされて、ディスクドライブ部１０１のデータプロセサ１０１Ｃに送られる（オーディオ情報についてはリニアＰＣＭエンコードが可能なように構成することもできる）。なお、図１のレコーダがデジタル入出力を扱えるストリーマとして構成されているときは、ＩＥＥＥ１３９４Ｉ／Ｆ１１５からのデジタル情報が、ＭＰＥＧエンコード処理をスキップして、フォーマッタ１０５Ａに送られる。
【００１５】
データプロセサ１０１Ｃに送られたデジタルストリームの記録信号は、一時記録部（大容量バッファメモリ）１０１Ｂを適宜利用しつつ、ディスクドライブ１０１Ａに装填された光ディスク１０２にデジタル記録される。
【００１６】
再生時は、ディスクドライブ１０１Ａによりディスク１０２から再生されたデジタル情報がデータプロセサ１０１Ｃを介してデコーダ部１０６に送られる。デコーダ部１０６はビデオ・オーディオのＭＰＥＧデコーダ（および適宜リニアＰＣＭデコーダ）を内蔵しており、デコード後のデジタルＡＶ信号をビデオミキサ１１６に送出する。ビデオミキサ１１６では、フレームメモリ１１７を利用して、デコーダ部１０６からのビデオ映像に、例えばメインＭＰＵ１１０が指令するオンスクリーン表示（ＯＳＤ）情報が適宜重畳される。Ｗｅｂサイトにアクセスして得た文字列情報は、このＯＳＤ機能を利用して行なうことができる。このＯＳＤ情報が適宜重畳されたビデオ映像およびこの映像に付くオーディオ信号は、Ｄ／Ａ変換されてのち、ＡＶ出力（Ｄ端子、同軸端子など）１０７を介して、外部モニタ（あるいは外部ＴＶ）６０に送出される（Ｄ／Ａ変換前のデジタルＡＶ情報をＩＥＥＥ１３９４Ｉ／Ｆを介して出力することも可能）。
【００１７】
図１の録画機器１０は、さらに、ユーザ操作を受け付ける入力部１０８およびユーザのリモコン操作を受け付けるリモコン受信部１２０を備えている。これらのユーザ操作の指令はメインＭＰＵ１１０に送られ、ユーザ指令（録画指令、再生指令、録画予約指令、入力切替指令、内蔵ＴＶチューナのチャネル切替指令など）を受けると、メモリ１１１を利用しつつ、ユーザ指令に対応した処理を行なうように構成されている。ユーザ指令に応じた処理状態は、適宜、表示部（蛍光管表示または液晶表示）１１２に表示され、および／またはビデオミキサ１１６を介してオンスクリーン表示される。表示部１１２および／またはこのオンスクリーン表示は、メインＭＰＵ１１０の制御により、録画予約処理などの操作情報を表示することができる。
【００１８】
図１の録画機器１０は、さらに、ＥＰＧを利用した予約録画等に対応するため、メインＭＰＵ１１０に接続されたタイママイコン部（タイマＭＰＵ）１０９と、ネットワークルータ３０を介してインターネット接続するための通信制御部１１３およびＩ／Ｆ１１４を備えている。
【００１９】
図１の録画機器１０は、図示しないネットワークルータやモデムを介してネットワーク３０に接続している。ネットワーク３０上には、録画機器１０の情報を管理するためのサーバ２０が接続されている。また、ネットワーク３０上には、図示しない各種ニュースや天気予報等の文字列情報を提供するＷｅｂサイトが存在する。
【００２０】
図２は、録画機器を用いての文字列情報表示の概念を説明するための図である。
【００２１】
録画機器１０には、予め幾つかのニュースや天気予報等のＷｅｂサイトに関するアドレス情報がメモリ１１１上に記憶されている。適宜、サイト情報は、追加・削除できる。これら、アドレス情報を含むサイト情報は、図７（ｂ）に示す内容で記憶されている。サーバ２０には、定期的に録画機器１０から送信されるアドレス情報に基づきサイト情報を更新すると共に、サーバ２０自体でも当該アドレス情報に基づくサイトが存在するか否かの定期的な更新を行う。サーバで最新のサイト情報に基づき、更新されたアドレス情報が再び、録画機器１０へ転送される。そして、録画機器１０では、ニュースや天気予報等の文字列を画面上に表示させる指示に基づき、文字列情報をフレームメモリ１１７に展開して、ビデオミキサ１１６で合成した内容をＡＶ出力１０７を介して、ＴＶ６０に出力する。
【００２２】
図４は、録画機器に付属するリモコンの概要を示す図である。リモコン４０に付随する各種ボタンの詳細な説明は省略し、本発明と関係のある部分のみ説明する。ボタン４０１は、電源ボタンで録画機器１０の電源をオン／オフするためのものである。ボタン４０２は決定ボタンで、各種リモコンのボタン操作を決定するためのものである。ボタン４０３は、上下左右の選択用のボタンである。ボタン４０４は、文字列を所定の方向にスクロール表示（ティッカー表示）するしないを指示するためのボタンである。ボタン４０５は、アドレスの設定登録・削除追加等を指示するためのボタンである。ボタン４０６は、現在選局されているチャネルに基づくキーワードによるアドレス情報の表示を指示するためのボタンである。
【００２３】
続いて、図３を用いて、本発明の具体的な動作を説明する。まず、必要に応じてアドレス情報に基づくリストを作成する（ステップＳ１０）。このリストは、例えば、図７（ｂ）に示すようなものである。図７（ｂ）のリストを構成するにあたり、図７（ａ）に示すＸＭＬ記述された内容に基づいて作成される。
【００２４】
録画機器１０から定期的にアドレスリスト情報（図７（ｂ））がサーバ２０に転送される（ステップＳ１１）。これをサーバ２０で受信（ステップＳ２０）し、受信したアドレスリスト内容情報が存在するか否かを確認し、必要に応じてアドレスリストを更新する（ステップＳ２１）。そして、更新したアドレスリストを録画機器１０へ送信する（ステップＳ２２）。
【００２５】
録画機器１０は、サーバ２０より送信された新しいアドレスリストを受信する（ステップＳ１２）。
【００２６】
続いて、文字列のテロップ表示を行うか否かの指示の有無を判断（ステップＳ１３）し、指示がなければ待機し、指示があればステップＳ１４へ進む。リモコン４０の文字列テロップ表示用ボタン４０４の操作。
【００２７】
ユーザによりアドレスリストから適宜、好みのアドレスを選択させる（ステップＳ１４）。リモコン４０の上下の選択ボタン４０３を操作することで、アドレスリストに登録されたサイトを順次切り換えて接続できる。その後、決定ボタン４０２が押された場合に、当該アドレスリストで示されるサイトにアクセスを行う（ステップＳ１５）。
【００２８】
ここで、得られた文字列情報を取得しメモリ１１１に記憶する（ステップＳ１６）。この取得した文字列を合成してＴＶなどへ出力する（ステップＳ１６）。
【００２９】
図５は、アドレスリストに基づいて、所定のサイトへアクセスした際のＴＶ６０に表示される内容の例を示す図である。図５は、リモコン４０のボタン４０４を押して、更に決定ボタン４０２を押した状態を示す。ここで表示される内容としては、図７（ｂ）に示すアドレスリストの１番目にある情報７０１ａに基づきサイトアクセスした内容が表示されている。そして、リモコン４０の上下ボタン４０３を操作して、図７（ｂ）のアドレスリストの７０１ｎで決定ボタン４０２が押されると、このアドレス情報に基づいたサイトの文字列情報が図５（ｂ）に示すようにＴＶ画面上に表示される。
【００３０】
図６は、文字列の表示位置を変更する場合の、具体例を示す図である。ＴＶなどへの出力画面に対して、利用者は任意の位置に文字列の表示位置を指定することができる。その場合には、リモコン４０のボタン４０４を操作する。図６（ａ）は、リモコン４０の上下左右ボタン４０３を操作して、文字列の表示位置を調整する様子を示している。また、図６（ｂ）は、文字列を表示する領域の大きさを調整する様子を示している。
【００３１】
図８は、録画機器１０の内蔵ＴＶチューナ１０３の設定状態に応じて、そのチャネル情報に基づくキーワード情報から、関連するアドレス情報を探して、そのサイトの文字列情報を表示する場合を示す。
【００３２】
例えば、図８（ａ）に示すように、現在のチャネル設定が、東京地区の２３区として登録されていれば、これら設定内容から「東京」「２３区」と言ったキーワードを抽出し、このキーワードに基づいて図７（ｂ）のアドレスリストを検索して一致する文字列のアドレス情報を適宜表示するようにしている。
【００３３】
このように録画機器において、容易に文字列のテロップ表示を行うことが可能となる。
【図面の簡単な説明】
【００３４】
【図１】録画機器の内部構成を示す図。
【図２】録画機器を用いての文字列情報表示の概念を説明するための図。
【図３】本発明の具体的な動作を説明するための図。
【図４】録画機器に付属するリモコンの概要を示す図。
【図５】画面表示の例。
【図６】画面表示の例。
【図７】アドレス情報関連する情報を示す図。
【図８】チャネルに関連したアドレス情報を表示する際の画面表示例。
【符号の説明】
【００３５】
１０  録画機器
２０  サーバ
３０  ネットワーク
４０  リモコン
５０  外部チューナ
６０  外部モニタ
【図１】
2005192003.tif 000003
【図２】
2005192003.tif 000004
【図３】
2005192003.tif 000005
【図４】
2005192003.tif 000006
【図５】
2005192003.tif 000007
【図６】
2005192003.tif 000008
【図７】
2005192003.tif 000009
【図８】
2005192003.tif 000010